(57)【要約】【課題】ハンドルの意匠性を向上させる。【解決手段】ハンドル１３は、水栓本体１２に回動可能に取り付けられる。ハンドル１３の外面を構成するアウター部材３０と、アウター部材３０の外面３０Ａ側から押し下げ可能な押しボタン２０を有するインナー部材４０とを備え、押しボタン２０の先端面２０Ａは、押しボタン２０が押し下げられていない状態において、アウター部材３０の外面３０Ａに沿った面上にあるか、もしくは、アウター部材３０の外面３０Ａよりも凹んだ位置にある。【選択図】図１
2018145652.tif 000002
【特許請求の範囲】
【請求項１】
水栓本体に回動可能に取り付けられるハンドルであって、
当該ハンドルの外面を構成するアウター部材と、当該アウター部材の外面側から押し下げ可能な押しボタンを有するインナー部材とを備え、
前記押しボタンの先端面は、前記押しボタンが押し下げられていない状態において、前記アウター部材の外面に沿った面上にあるか、もしくは、前記アウター部材の外面よりも凹んだ位置にあることを特徴とするハンドル。
【請求項２】
前記アウター部材は、前記押しボタンの先端面を露出させる孔部を有する筒状の周壁を備え、前記押しボタンが押し下げられた状態において、前記孔部を通じて、前記押しボタンの先端面と前記周壁の内面との間から前記周壁内が見えることを防ぐ隠蔽部を設けた請求項１に記載のハンドル。
【請求項３】
前記隠蔽部は、前記インナー部材に設けられている請求項２に記載のハンドル。
【請求項４】
前記インナー部材は、前記押しボタンを摺動可能に保持する保持部材を有し、前記隠蔽部は、前記保持部材に設けられている請求項３に記載のハンドル。
【請求項５】
前記インナー部材は、当該ハンドルの所定以上の回動を規制するロック機構を有し、
前記押しボタンは、前記ロック機構による規制状態を解除する押しボタンである請求項３又は４に記載のハンドル。
【請求項６】
請求項１〜５のいずれか一項に記載されたハンドルと、前記水栓本体とを備えた水栓。
【発明の詳細な説明】
【技術分野】
【０００１】
本発明は、水栓本体に回動可能に取り付けられるハンドル及び該ハンドルを備えた水栓に関する。
【背景技術】
【０００２】
特許文献１には、吐出口を有する水栓本体と、水栓本体の左側に取り付けられた温調ハンドルと、水栓本体の右側に取り付けられた切換ハンドルとを備える混合水栓が開示されている。
【先行技術文献】
【特許文献】
【０００３】
【特許文献１】特開２０１３−１８１３０３号公報
【発明の概要】
【発明が解決しようとする課題】
【０００４】
ところで、図７に示すように、特許文献１の混合水栓に備えられる温調ハンドル８１には、温調ハンドル８１のロック解除のための押しボタン８２が、温調ハンドル８１の周壁部８１Ａから突出した状態で設けられている。周壁部８１Ａから突出した押しボタン８２は、水栓の外観の統一感を損なわせるものであり、見栄えが良くない。本発明はこうした事情に鑑みてなされたものであり、その目的は、意匠性の向上したハンドルを提供することにある。
【課題を解決するための手段】
【０００５】
上記課題を解決するためのハンドルは、水栓本体に回動可能に取り付けられるハンドルであって、当該ハンドルの外面を構成するアウター部材と、当該アウター部材の外面側から押し下げ可能な押しボタンを有するインナー部材とを備え、前記押しボタンの先端面は、前記押しボタンが押し下げられていない状態において、前記アウター部材の外面に沿った面上にあるか、もしくは、前記アウター部材の外面よりも凹んだ位置にあることを要旨とする。
【０００６】
この構成によれば、押しボタンの先端面が、アウター部材の外面に沿った面上にあるか、もしくは、アウター部材の外面よりも凹んだ位置にあることにより、押しボタンの先端面がアウター部材の外面から突出した態様に比べて、押しボタンの外観を目立たなくすることができる。これにより、ハンドルの意匠性を向上させることができる。
【０００７】
上記ハンドルについて、前記アウター部材は、前記押しボタンの先端面を露出させる孔部を有する筒状の周壁を備え、前記押しボタンが押し下げられた状態において、前記孔部を通じて、前記押しボタンの先端面と前記周壁の内面との間から前記周壁内が見えることを防ぐ隠蔽部を設けたことが好ましい。この構成によれば、隠蔽部によって、孔部を通じて周壁内が見えることを抑制することができるため、押しボタンの押し下げ状態におけるハンドルの外観を向上させることができる。また、隠蔽部によって、アウター部材の周壁と押しボタンの間に異物が挟まることを抑制することもできる。
【０００８】
上記ハンドルについて、前記隠蔽部は、前記インナー部材に設けられていることが好ましい。この構成によれば、隠蔽部がアウター部材に設けられている場合と比較して、製造上、隠蔽部を効率良く設けることができる。
【０００９】
上記ハンドルについて、前記インナー部材は、前記押しボタンを摺動可能に保持する保持部材を有し、前記隠蔽部は、前記保持部材に設けられていることが好ましい。この構成によれば、隠蔽部を保持部材とは別体で設ける構成と比較して、部品点数を減らしてインナー部材の構成を簡略化することができる。また、保持部材の位置決めに合わせて隠蔽部の位置決めも行うことができるため、効率良く隠蔽部の位置決めを行うことができる。
【００１０】
上記ハンドルについて、前記インナー部材は、当該ハンドルの所定以上の回動を規制するロック機構を有し、前記押しボタンは、前記ロック機構による規制状態を解除する押しボタンであることが好ましい。この構成によれば、ロック機構による規制状態を解除する押しボタンを有するハンドルにおいて、意匠性が好適に向上したものとなる。
【００１１】
上記ハンドルと、前記水栓本体とを備えた水栓であることが好ましい。この構成によれば、上記ハンドルの機能を奏する水栓とすることができる。
【発明の効果】
【００１２】
本発明によれば、ハンドルの意匠性を向上させることができる。
【図面の簡単な説明】
【００１３】
【図１】本実施形態の水栓の斜視図。
【図２】温調ハンドルの分解斜視図。
【図３】温調ハンドルの別の分解斜視図。
【図４】（ａ）は、押しボタンが押し下げられていない状態におけるロック機構の断面図、（ｂ）は押しボタンが押し下げられた状態におけるロック機構の断面図、（ｃ）は、ロック機構が解除され温調ハンドルがさらに回転された状態における断面図。
【図５】（ａ）は、隠蔽部を有する温調ハンドルの斜視図、（ｂ）は隠蔽部を有さない温調ハンドルの斜視図。
【図６】変更例の温調ハンドルの分解斜視図。
【図７】従来技術の水栓の斜視図。
【発明を実施するための形態】
【００１４】
以下、本発明の一実施形態を説明する。
図１に示すように、水栓１０は、浴室の壁面１１に設置されている。水栓１０は、壁面１１側に向かって、中央に位置する水栓本体１２を備えている。水栓本体１２の左側には、温調ハンドル１３が回動可能に取り付けられるとともに、水栓本体１２の右側には、切換ハンドル１４が回動可能に取り付けられている。また、水栓本体１２の奥側には、壁面１１に固定される配管１５（湯用配管及び水用配管）が取り付けられている。
【００１５】
水栓本体１２は、手前側にカラン吐水用の第１吐出口１６と、奥側にシャワーホース１７に接続されたシャワー吐水用の第２吐出口（図示せず）とを有する。水栓１０は、温調ハンドル１３を回動させることにより、第１吐出口１６や第２吐出口から吐出される混合水の温度を調節可能に構成されている。温調ハンドル１３は、所定の温度（例えば、４３℃）に対応する位置を超えて高温側に回動されることを規制するロック機構を有し、温調ハンドル１３の外面には、このロック機構によるロック状態を解除する押しボタン２０が露出している。また、水栓１０は、切換ハンドル１４を回動させることにより、第１吐出口１６と第２吐出口の切り換えや、吐止水の切り換えを行うことが可能に構成されている。
【００１６】
以下、温調ハンドル１３について具体的に説明する。
図２、３に示すように、温調ハンドル１３は、温調ハンドル１３の外面を構成するアウター部材３０と、アウター部材３０の内部に取り付けられ、ロック機構を有するインナー部材４０と、アウター部材３０及びインナー部材４０を水栓本体１２に取り付ける取付部材５０とを備える。
【００１７】
次に、温調ハンドル１３の各部材について説明する。
アウター部材３０は、筒状の周壁３２と、周壁３２の一端側（水栓本体１２の反対側）を閉塞する底壁３３とを有し、周壁３２の他端側（水栓本体１２側）は開放されている。底壁３３には取付部材５０が挿通される貫通孔３４が設けられている。この貫通孔３４は、軸方向に延びる内周壁３４Ａを有する。筒状の周壁３２には、押しボタン２０の先端面を露出させる孔部３１が設けられるとともに、アウター部材３０の周壁３２の内側における、孔部３１に対向する位置には、後述するインナー部材４０のバネ部材４２が当接する壁部３５が設けられている。
【００１８】
インナー部材４０は、押しボタン２０と、押しボタン２０を摺動可能に保持する保持部材４１と、押しボタン２０を付勢するバネ部材４２とから構成されている。
押しボタン２０は、左右方向に貫通する孔２１Ａを有する筒状の本体部２１と、本体部２１の外面から突出する円柱状の先端部２２とを有する。本体部２１における先端部２２の周囲には、肩部２３が形成されている。
【００１９】
保持部材４１は、押しボタン２０の本体部２１を、押しボタン２０の進退方向に摺動可能に収容して保持する収容部４３を有している。収容部４３は、左右方向に貫通する孔４３Ａを有する筒状に形成されている。収容部４３には、押しボタンの先端部２２が挿通される挿通部４４が設けられるとともに、収容部４３における挿通部４４に対向する位置には、押しボタン２０を取り付けるための取付孔４５が設けられている。収容部４３の外面には、挿通部４４に沿って環状に突出する壁状の隠蔽部６０が設けられている。隠蔽部６０は、アウター部材３０の孔部３１と略同じ内径を有するように構成される。
【００２０】
また、保持部材４１には、アウター部材３０の周壁３２の他端側を塞ぐ蓋部４６が一体に形成されている。蓋部４６には、取付部材５０が挿通される孔４６Ａが設けられている。
【００２１】
取付部材５０は、棒状の本体部５１と、本体部５１の一端側に設けられた鍔部５２と、本体部の他端側に設けられた係合部５３とを有する。
次に、温調ハンドル１３の組付構成について説明する。
【００２２】
まず、取付孔４５側から保持部材４１の収容部４３内に押しボタン２０を挿入して、押しボタン２０の先端部２２が収容部４３の挿通部４４及び隠蔽部６０に挿通された状態となるように収容部４３に押しボタン２０を収容する。この際、押しボタン２０の肩部２３が収容部４３の端部に当接した状態で、押しボタン２０の先端部２２は、隠蔽部６０から所定の長さ分突出する。ここで、押しボタン２０の先端部２２の隠蔽部６０からの突出長さは、図１に示すような組み付け状態において、押しボタン２０の先端面２０Ａが、アウター部材３０の外面３０Ａに沿った面上に位置する長さに設定する。ここで、押しボタン２０の先端面２０Ａの周囲が面取りされている場合は、面取り部分を含まない箇所を押しボタン２０の先端面２０Ａとする。
【００２３】
次に、保持部材４１の挿通部４４及び隠蔽部６０が、アウター部材３０の周壁３２の孔部３１に重なる位置となるように、保持部材４１を、開放されている端部側からアウター部材３０の内部に挿入する。そして、押しボタン２０の本体部２１における先端部２２側とは反対側の外面と、アウター部材３０の壁部３５との間にバネ部材４２を配置する。これにより、バネ部材４２が、押しボタン２０をその先端側に付勢する状態となる。アウター部材３０の内部に保持部材４１が挿入されると、保持部材４１に一体に構成された蓋部４６によってアウター部材３０の周壁３２の他端側が塞がれた状態となる。また、アウター部材３０の周壁３２の内面に、隠蔽部６０の先端が当接した状態となる。
【００２４】
アウター部材３０の内部に押しボタン２０、保持部材４１及びバネ部材４２が取り付けられた状態で、アウター部材３０の底壁３３の貫通孔３４に取付部材５０を挿通させる。この際、取付部材５０の鍔部５２は、底壁３３の貫通孔３４に嵌合した状態で位置決めされる。取付部材５０の本体部５１は、押しボタン２０の孔２１Ａ、保持部材４１の収容部４３の孔４３Ａ、蓋部４６の孔４６Ａをそれぞれ貫通する。そして、取付部材５０の係合部５３が後述する水栓本体１２の被係合部１８に係合することによって、温調ハンドル１３は水栓本体１２に取り付けられる。
【００２５】
押しボタン２０の本体部２１に設けられた孔２１Ａは、押しボタン２０が押し下げられた状態と押し下げられていない状態のいずれにおいても、アウター部材３０の貫通孔３４の内周壁３４Ａと干渉しないように、押しボタン２０の進退方向に沿って孔２１Ａの径が大きく構成されている。
【００２６】
次に、温調ハンドル１３のロック機構について説明する。
図２に示すように、押しボタン２０の本体部２１には、組み付け状態において、蓋部４６により構成される温調ハンドル１３の側面側に突出する突出部２１Ｂが設けられている。また、図３に示すように、水栓本体１２は、温調ハンドル１３の取付部材５０が接続される棒状の被係合部１８が設けられている。また、被係合部１８の外周側には、被係合部１８の周方向に沿って被係合部１８の周囲を囲む周壁１９が設けられている。
【００２７】
図４（ａ）に示すように、水栓本体１２に温調ハンドル１３が取り付けられた状態において、この周壁１９の端部１９Ａに押しボタンの突出部２１Ｂが当接することにより、所定温度よりも高温側への温調ハンドル１３の回動が規制される。
【００２８】
図４（ｂ）に示すように、ロック機構を解除する際は、押しボタン２０を押し下げ状態とする。これに伴い、矢印で示すように、押しボタン２０の突出部２１Ｂの位置が周壁１９の端部１９Ａよりも径方向内側に変位する。これにより、図４（ｃ）に示すように、温調ハンドル１３を所定温度よりも高温側に回動させることが可能になる。
【００２９】
次に、本実施形態の作用について説明する。
図１に示すように、押しボタン２０が押し下げられていない状態において、押しボタン２０の先端面２０Ａが、アウター部材３０の外面３０Ａに沿った面上にあることにより、押しボタン２０の先端面２０Ａがアウター部材３０の外面３０Ａから突出した態様に比べて、押しボタン２０を目立たなくすることができる。したがって、温調ハンドル１３の意匠性を向上させることができる。
【００３０】
また、図５（ａ）に示すように、押しボタン２０が、アウター部材３０の周壁３２の厚さ以上に押し下げられた状態においては、押しボタン２０の周囲の全周にわたって、押しボタン２０の先端面２０Ａと周壁３２の内面との間に隠蔽部６０が配置されている。
【００３１】
ここで、本実施形態においては、上記のとおり、押しボタン２０が押し下げられていない状態における押しボタン２０の先端面２０Ａを、アウター部材３０の外面３０Ａに沿った面上に位置させている。そのため、隠蔽部６０を備えない構成とした場合には、図５（ｂ）に示すように、押しボタン２０がアウター部材３０の周壁３２の厚さ以上に押し下げられた際に、孔部３１を通じて、押しボタン２０の先端面２０Ａと周壁３２の内面との間から周壁３２の内部が見えてしまう。これに対して、図５（ａ）に示すように、隠蔽部６０を設けることによって、周壁３２の内部を見え難くすることができる。
【００３２】
次に、本実施形態の効果について説明する。
（１）押しボタン２０の先端面２０Ａが、アウター部材３０の外面３０Ａに沿った面上に位置している。これにより、押しボタン２０の外観を目立たなくすることができる。したがって、温調ハンドル１３の意匠性を向上させることができる。
【００３３】
（２）アウター部材３０は、押しボタン２０が収容される孔部３１を有する筒状の周壁３２を備えている。この孔部３１を通じて周壁３２内が見えることを防ぐ隠蔽部６０を設けている。これにより、押しボタン２０を押し下げた状態における温調ハンドル１３の外観を向上させることができる。また、隠蔽部６０によって、アウター部材３０の周壁３２と押しボタン２０の間に異物が挟まることを抑制することもできる。
【００３４】
（３）隠蔽部６０は、インナー部材４０に設けられている。隠蔽部がアウター部材３０に設けられている場合と比較して、製造上、隠蔽部を効率良く設けることができる。
（４）インナー部材４０は、押しボタン２０を摺動可能に保持する保持部材４１を有し、隠蔽部６０は、保持部材４１に設けられている。したがって、隠蔽部６０を保持部材とは別体で設ける構成と比較して、部品点数を減らしてインナー部材４０の構成を簡略化することができる。また、保持部材４１の位置決めに合わせて隠蔽部６０の位置決めも行うことができるため、効率良く隠蔽部６０の位置決めを行うことができる。
【００３５】
本実施形態は、次のように変更して実施することも可能である。また、上記実施形態の構成や以下の変更例に示す構成を適宜組み合わせて実施することも可能である。
・本実施形態では、押しボタン２０の先端面２０Ａは、押し下げられていない状態において、アウター部材３０の外面に沿った面上にあったが、意匠性に影響を及ぼさない範囲でアウター部材３０の外面３０Ａよりも凹んだ位置にあってもよい。
【００３６】
・水栓１０の表面には、メッキや塗装が施されていてもよい。アウター部材３０の外面３０Ａにメッキや塗装が施されている場合、メッキや塗装の表面が、アウター部材３０の外面３０Ａとなる。
【００３７】
・インナー部材４０が、保持部材４１を用いることなく構成されたものであってもよい。例えば、押しボタン２０の摺動方向に沿って、アウター部材３０の内周壁３４Ａの外面と押しボタン２０の孔２１Ａの内面とが当接する構成にすれば、保持部材４１を用いることなく、押しボタン２０を摺動可能にすることができる。さらに、この構成に加えて、押しボタン２０とバネ部材４２が一体に構成されたものであってもよい。例えば、押しボタン２０が弾性部材によって形成され、押しボタン２０が押し下げられた際に、壁部３５に対する押しボタン２０自身の反発力によって、押しボタン２０をその先端側に付勢するようにしてもよい。この場合、インナー部材４０が押しボタン２０のみで構成されたものとなる。
【００３８】
・隠蔽部６０は、保持部材４１と別部材で構成されていてもよい。例えば、図６に示すように、隠蔽部として、アウター部材３０の孔部３１と同じ内径を有する環状部材７０を用意し、この環状部材７０を、押しボタン２０を囲むように、アウター部材３０と、保持部材との間に配置する。この場合には、環状部材７０が隠蔽部として機能する。
【００３９】
・隠蔽部は、アウター部材３０に設けられていてもよい。例えば、アウター部材３０の周壁３２において、押しボタン２０が収容される孔部３１の周囲の厚さを厚くすることによって、隠蔽部としてもよい。
【００４０】
・蓋部４６は、保持部材４１と別体で構成されていてもよい。
・温調ハンドル１３における押しボタン２０に関する構成を切換ハンドル１４に適用してもよい。切換ハンドル１４に設けられる押しボタンとしては、例えば、第１吐出口１６と第２吐出口の切り換えを行う押しボタンや、吐止水の切り換えを行う押しボタンが挙げられる。
【００４１】
次に、上記実施形態及び別例から把握できる技術的思想について、以下に記載する。
（イ）インナー部材は、アウター部材の周壁の端部を塞ぐ蓋部を有し、当該蓋部は、保持部材と一体に構成されているハンドル。
【符号の説明】
【００４２】
１０…水栓、１２…水栓本体、１３…温調ハンドル、２０…押しボタン、２０Ａ…先端面、３０…アウター部材、３０Ａ…アウター部材の外面、４０…インナー部材。
【図１】
2018145652.tif 000003
【図２】
2018145652.tif 000004
【図３】
2018145652.tif 000005
【図４】
2018145652.tif 000006
【図５】
2018145652.tif 000007
【図６】
2018145652.tif 000008
【図７】
2018145652.tif 000009